(57)【要約】  【課題】タブ部材を引き剥がすときに，タブ部材をつまみやすくして，これにより開封性を向上する。  【解決手段】飲料用紙容器１Ａは，円筒状の胴部11と，胴部11の上端を閉じる天部12と，胴部11の下端を閉じる底部13とを備え，上記天部12に飲み口14があけられており，上記飲み口14が，天部12の外面において上記飲み口14の周囲の全体に接着されたタブ部材21によって塞がれている。上記天部12の外面に上記飲み口14から離れてデボス部15が形成されている。上記タブ部材21には，デボス部15に向かってのびる未接着の摘み部21Ａが設けられている。上記タブ部材21の未接着の摘み部21Ａが上記デボス部15の一部を覆っている。【選択図】図２
2015145270.tif 000002
【特許請求の範囲】
【請求項１】
筒状の胴部と，胴部の上端を閉じる天部と，胴部の下端を閉じる底部とを備え，上記天部に飲み口があけられており，上記飲み口が，上記天部の外面において上記飲み口の周囲の全体に接着されたタブ部材によって塞がれている飲料用紙容器において，
上記天部の外面に上記飲み口から離れて凹状窪み部が形成されており，上記タブ部材に上記凹状窪み部に向かってのびる未接着の摘み部が設けられ，上記未接着の摘み部の少なくとも一部が上記凹状窪み部を覆っていることを特徴とする，飲料用紙容器。
【請求項２】
上記凹状窪み部の一部が上記未接着の摘み部によって覆われている，請求項１に記載の飲料用紙容器。
【請求項３】
上記凹状窪み部の全部が上記未接着の摘み部によって覆われている，請求項１に記載の飲料用紙容器。
【請求項４】
上記凹状窪み部の上記摘み部の幅に対応する方向の寸法が，上記摘み部の幅よりも短い，請求項１に記載の飲料用紙容器。
【請求項５】
上記凹状窪み部の上記摘み部の幅に対応する方向の寸法が，上記摘み部の幅よりも長い，請求項１に記載の飲料用紙容器。
【請求項６】
上記飲み口が，上記天部の内面において上記飲み口の周囲の全体に接着されたフィルムによって塞がれており，上記フィルムと上記タブ部材とが上記飲み口を通じて接着されている，請求項１から５のいずれか一項に記載の飲料用紙容器。
【請求項７】
上記飲み口が先細に形成されており，上記先細の飲み口の延長線上に上記凹状窪み部が形成されている，請求項１から６のいずれか一項に記載の飲料用紙容器。
【請求項８】
上記タブ部材を上記天部の外面に接着する接着範囲が，上記凹状窪み部に向かって先細に設けられている，請求項１から７のいずれか一項に記載の飲料用紙容器。
【請求項９】
上記タブ部材の未接着範囲に押し罫が形成されている，請求項１から８のいずれか一項に記載の飲料用紙容器。
【発明の詳細な説明】
【技術分野】
【０００１】
この発明は飲料用紙容器に関する。
【背景技術】
【０００２】
天部にあけられた飲み口をタブ部材によって封止した飲料用紙容器が知られている。タブ部材を天部から引き剥がすことで飲み口が開封される。
【０００３】
特許文献１は，タブ部材を引き剥がすときにタブ部材をつまみやすくするために，タブ部材に切起しを形成したものを開示する。
【先行技術文献】
【特許文献】
【０００４】
【特許文献１】実開平４−１０６２２４号公報
【０００５】
しかしながら，飲み口を封止するタブ部材は比較的小さい（面積が狭い）ので，タブ部材に大きな切起しを形成するのは難しい。またタブ部材は一般に薄いシートで作られるから，しっかりとした，安定した切起しをタブ部材に形成するのは困難である。
【発明の開示】
【０００６】
この発明は，タブ部材をさらにつまみやすくして，これによりタブ部材を引き剥がすときの開封性を向上することを目的とする。
【０００７】
この発明による飲料用紙容器は，筒状の胴部と，胴部の上端を閉じる天部と，胴部の下端を閉じる底部とを備え，上記天部に飲み口があけられており，上記飲み口が，上記天部の外面において上記飲み口の周囲の全体に接着されたタブ部材によって塞がれているものであって，上記天部の外面に上記飲み口から離れて凹状窪み部が形成されており，上記タブ部材に上記凹状窪み部に向かってのびる未接着の摘み部が設けられており，上記未接着の摘み部の少なくとも一部が上記凹状窪み部を覆っていることを特徴とする。タブ部材は熱可塑性樹脂によって天部の外面に熱溶着してもよいし，接着剤を用いて天部の外面に接着してもよい。
【０００８】
飲料用紙容器の天部には飲み口があけられており，さらに天部の外面には飲み口から離れて凹状窪み部が形成されている。飲み口を塞ぐタブ部材に設けられた未接着の摘み部は上記凹状窪み部に向かってのび，その少なくとも一部が凹状窪み部を覆っている（閉じている）。凹状窪み部はその一部または全部が未接着の摘み部によって覆われる。凹状窪み部の一部が未接着の摘み部によって覆われている態様では，摘み部によって覆われていない凹状窪み部を利用して摘み部（その縁部）に爪ないし指先をかけやすい。凹状窪み部の全体が摘み部によって覆われている態様では，摘み部を爪ないし指先などで凹状窪み部に向けて押すと摘み部の縁部が反り返るから，摘み部に爪ないし指先をかけやすくなる。いずれにしても摘み部に爪ないし指先をかけてめくりやすく，めくれた摘み部はその後に簡単に指でつまむことができるので，開封作業（タブ部材の引き剥がし）が容易になる。凹状窪み部は飲料用紙容器の天部に形成されているので，比較的大きな，しっかりとした窪み部を形成することができる。また飲料用紙容器の成形工程において凹状窪み部を形成することができるから加工性もよい。
【０００９】
上記凹状窪み部の，上記摘み部（タブ部材）の幅に対応する方向の寸法は，上記摘み部の幅よりも短くても長くてもよい。上記凹状窪み部の上記摘み部の幅に対応する方向の寸法を上記摘み部の幅よりも長くすると，摘み部の側部にも爪ないし指先をかけやすくなる。
【００１０】
好ましくは，上記飲み口が，上記天部の内面において上記飲み口の周囲の全体に接着されたフィルムによって塞がれており，上記フィルムと上記タブ部材とが上記飲み口を通じて接着されている。飲み口を天部の内面からもフィルムによって塞ぐことで，飲み口を確実に封止することができる。上記フィルムと上記タブ部材とは上記飲み口を通じて接着されているので，タブ部材を引き剥がすときにフィルムを破くことができ，これにより飲み口は開封される。
【００１１】
一実施態様では，上記飲み口が先細に形成されており，上記先細の飲み口の延長線上に上記凹状窪み部が形成されている。タブ部材は，凹状窪み部を覆っている摘み部を指でつまんで飲み口の向きに引っ張ることで引き剥がされるので，飲み口を開封するときに，飲み口は小径（先細）の部分から大径の部分に向かって開封される。タブ部材をスムーズに引き剥がすことができる。
【００１２】
好ましくは，上記タブ部材を上記天部の外面に接着する接着範囲が，上記凹状窪み部に向かって先細に設けられている。軽い力でタブ部材の引き剥がしを開始することができる。
【００１３】
上記タブ部材の未接着範囲に押し罫を形成してもよい。上記タブ部材に熱が加えられたときに生じることがある湾曲を抑制することができる。
【図面の簡単な説明】
【００１４】
【図１】飲料用紙容器の平面図である。
【図２】図１のII−II線に沿う飲料用紙容器の端面図である。
【図３】図２のIII−III線に沿う飲料用紙容器の断面図である。
【図４】変形例の飲料用紙容器の天部の一部拡大端面図である。
【図５】変形例の飲料用紙容器の平面図である。
【図６】他の変形例の飲料用紙容器の平面図である。
【図７】さらに他の変形例の飲料用容器の平面図である。
【図８】図７に示す飲料用紙容器の天部の一部拡大端面図である。
【図９】さらに他の変形例の飲料用紙容器の平面図である。
【実施例】
【００１５】
図１は飲料用紙容器１Ａの平面図を，図２は図１のII−II線に沿う飲料用紙容器１Ａの端面図をそれぞれ示している。図３は図２のIII−III線に沿う飲料用紙容器１Ａの断面図を示している。図２，図３において，分かりやすくするために，厚さがやや誇張して示されている。
【００１６】
飲料用紙容器１Ａは，円筒状の胴部11と，胴部11の上端を閉じる天部12と，胴部11の下端を閉じる底部13から構成されている。胴部11，天部12，底部13は紙を主成分とし，内面にポリエチレン（ＰＥ）が積層されたものであり，水密性を持つ。表面にポリエチレン（ＰＥ），アルミニウム（ＡＬ）等を積層してもよい。たとえば，内面から外面に向けてポリエチレン，紙，ポリエチレン，アルミニウムおよびポリエチレンをこの順番に積層した積層構造のものが用いられる。
【００１７】
胴部11の上端を閉じる天部12は円形で，その周縁部12Ａが外向きに折曲げられている。外向きに折曲げられた天部12の周縁部12Ａを挟むように胴部11の上端部11Ａが折り返されている。天部12の周縁部12Ａとこれを挟む胴部11の上端部11Ａは全面的に互いに接合（接着，溶着）される。
【００１８】
胴部11の下端を閉じる底部13も円形であり，その周縁部13Ａが外向きに折曲げられ，外向きに折曲げられた周縁部13Ａを挟むように胴部11の下端部11Ｂが折り返されている。底部13の周縁部13Ａとこれを挟む胴部11の下端部11Ｂも全面的に互いに接合（接着，溶着）される。
【００１９】
天部12には飲み口（ストロー差込み開口）14があけられている。飲み口14は，平面から見てしずく形（ティアドロップ形）に，すなわち天部12の中心に向かって先細に形成されている。
【００２０】
さらに天部12の外面（表面）には，内向きに窪むデボス部（凹状窪み部）15が，上記飲み口14から離れて形成されている。デボス部15は，先細の飲み口14の延長線上（先細の方向）において，先細の飲み口14の向きとほぼ直交する方向にやや細長く形成されている。デボス部15の長手方向の長さは，次に説明するタブ部材21（摘み部21Ａ）の幅（タブ部材21の長手方向に直交する向きの長さ）よりもやや短い。
【００２１】
天部12の外面には，飲み口14を覆う大きさを持つ長方形のタブ部材21が飲み口14を覆って接着されており，飲み口14はタブ部材21によって外がわから塞がれている。タブ部材21は紙を基材とし，その内面にポリエチレン（ＰＥ）が積層されたものである。図１にはタブ部材21の接着範囲31Ａが一点鎖線によって，図２には太実線によってそれぞれ示されている。タブ部材21は熱可塑性樹脂による熱溶着により天部12の外面に接着される。接着範囲31Ａに接着剤を設け，接着剤によってタブ部材21を天部12の外面に接着してもよい。
【００２２】
タブ部材21を接着する接着範囲31Ａは，天部12の外面において飲み口14の周囲の全体を取り囲みかつ上記デボス部15に向かって次第に狭くなるように先細に設けられており，飲み口14から離れて形成されたデボス部15には達していない。
【００２３】
天部12の外面に接着されたタブ部材21はデボス部15に向けてのびている。タブ部材21はデボス部15を途中まで覆う長さを持ち，デボス部15の全体を覆ってはいない（デボス部15の一部は露出している）。上述したように接着範囲31Ａはデボス部15には達してはいないので，デボス部15に向けてのびるタブ部材21の先端部分は，天部12の外面に接着されていない。以下，タブ部材21の未接着の先端部分を「摘み部21Ａ」と呼ぶ。
【００２４】
図２，図３を参照して，天部12の内面（裏面）には，飲み口14を覆う大きさをもつ概略方形のフィルム16が飲み口14を覆って接着されており，飲み口14はフィルム16によって内がわからも塞がれている。フィルム16は薄くかつ水密性のものである。図３においてフィルム16の接着範囲31Ｃを一点鎖線によって，図２において太実線によってそれぞれ示す。フィルム16も熱可塑性樹脂を熱溶着することで，または接着剤によって，天部12の内面に接着される。
【００２５】
さらに図１，図２を参照して，飲み口14を外がわから覆うタブ部材21と飲み口14を内がわから覆うフィルム16は，飲み口14を通じて互いに接着されている。飲み口14を通じたタブ部材21とフィルム16との接着範囲31Ｂを，図１において一点鎖線により，図２において太実線により，それぞれ示す。タブ部材21とフィルム16も熱可塑性樹脂を熱溶着することで，または接着剤によって互いに接着される。
【００２６】
上記デボス部15は，天部12の外がわから押型を押し当てることで窪みとなるように形成される。一般には押型を押し当てるときに天部12の内がわには上記押型を受け止める雌型が用意される。飲料用紙容器１Ａの成形工程においてデボス部15も一挙に形成することができる。デボス部15を形成した後にタブ部材21が天部12の外面に接着される。
【００２７】
上述したように，タブ部材21の未接着の摘み部21Ａはデボス部15の全体を覆っておらず，摘み部21Ａの先端縁は上記デボス部15の上方に位置する。デボス部15に爪ないし指先を潜り込ませることで，摘み部21Ａ（その縁部）に爪または指先を容易にかけることができ，摘み部21Ａを簡単にめくることができる。めくれた摘み部21Ａを指でつまみ，飲み口14の向きに引っ張ることでタブ部材21は引き剥がされる。上述したように，飲み口14を通じてタブ部材21とフィルム16とが接着されているので，タブ部材21を引き剥がす途中で飲み口14を内がわから覆っているフィルム16が破け，これにより飲み口14が開口する。一般にはストロー（図示略）が開口した飲み口14から紙容器１Ａ内に差し込まれる。タブ部材21を上記天部12の外面に接着する接着範囲31Ａがデボス部15に向かうにつれて狭められているので，軽い力でタブ部材21の引き剥がしを開始することができる。
【００２８】
図４は変形例を示すもので，タブ部材21の未接着の摘み部21Ａが折り返されており，折り返された部分の摘み部21Ａがデボス部15の上方に位置する。折り返し部の長さは任意とすることできる。摘み部21Ａ（折り返し部）に爪または指先をかけやすく，摘み部21Ａを指でつまみやすい。
【００２９】
図５は変形例の飲料用紙容器１Ｂを示している。図１に示す飲料用紙容器１Ａとは，デボス部15Ａの長手方向の長さがタブ部材21（摘み部21Ａ）の幅よりも長い点が異なる。未接着の摘み部21Ａの両隅（両端）がデボス部15Ａの上方に位置するので，摘み部21Ａに爪ないし指先をかけてめくりやすく，摘み部21Ａを指でつまみやすい。
【００３０】
図６はさらに他の変形例の飲料用紙容器１Ｃを示している。図１に示す飲料用紙容器１Ａとは，タブ部材21の長手方向の長さが長く，タブ部材21の未接着の摘み部21Ａがデボス部15の全体を覆っている点が異なる。摘み部21Ａを，爪ないし指先で，またはストロー等を用いてデボス部15に向けて押すと，押したところがデボス部15内に落ち込み，これにより摘み部21Ａの縁部が上向きに反り返る。上向きに反った摘み部21Ａに爪ないし指先をかけてめくりやすく，摘み部21Ａを指でつまみやすい。
【００３１】
図７はさらに他の変形例の飲料用紙容器１Ｄを示している。図８は図７に示す飲料用紙容器の天部の一部拡大端面図である。図１に示す飲料用紙容器１Ａとは，直線状の押し罫（凹部）41が，タブ部材21の幅方向に形成されている点が異なる。押し罫41はタブ部材21の未接着範囲（接着範囲31Ａとデボス部15との間）に形成される。
【００３２】
上述したように，タブ部材21は紙を基材とし，その内面にポリエチレン（ＰＥ）が積層されたものである。ポリエチレンは熱が加えられることで僅かにシュリンクするので，タブ部材21を天部12の外面に熱溶着するとき，タブ部材21（未接着範囲）は内がわに向けて湾曲（カール）しやすい。図７および図８に示すように押し罫41をタブ部材21に形成しておくことによってタブ部材21の湾曲を抑制することができる。
【００３３】
図９に示すように，接着範囲31Ａの先細の先端形状に沿うように，Ｖ字形の押し罫41ａをタブ部材21に形成してもよい。
【符号の説明】
【００３４】
１Ａ，１Ｂ，１Ｃ，１Ｄ  飲料用紙容器
12  天部
13  底部
14  飲み口
15，15Ａ  デボス部（凹状窪み部）
21  タブ部材
21Ａ  摘み部
31Ａ，31Ｂ，31Ｃ  接着範囲
41，41ａ  押し罫
【図１】
2015145270.tif 000003
【図２】
2015145270.tif 000004
【図３】
2015145270.tif 000005
【図４】
2015145270.tif 000006
【図５】
2015145270.tif 000007
【図６】
2015145270.tif 000008
【図７】
2015145270.tif 000009
【図８】
2015145270.tif 000010
【図９】
2015145270.tif 000011